(57)【要約】      （修正有）【課題】女性にとって、避けて通ることの出来ない憂鬱な生理日を、安心して、しかも快適に過ごすことが出来るようにするためのアンダーウエアーを提供する【解決手段】編地・織地に、防水性と透湿性を兼ね備えた薄く、伸縮性のあるフィルム状のウレタン系形状記憶ポリマー、例えばポリウレタン、無孔質メンブレンをラミネート加工又は張り付けた生地を使用して生理日用アンダーウエアーを構成する。【選択図】図２
0003154444.tif 000002
【実用新案登録請求の範囲】
【請求項１】
スポーツウエアー用に開発された多くの高機能生地の中から、特に防水性能、透湿性能に優れた生地を厳選し、その生地を、その生地本来の用途としては、全く想定されていなかった分野である女性にとっての悩みの種である生理日を、安心・快適に過ごすことが出来るようにする為に転用して考案した生理日のためのアンダーウエアー。
【請求項２】
完全な防水機能を持ち、かつ、環境適応機能を有し、温度変化を感知してアンダーウエアー内を常に快適にする機能を持つこの生地は、防水性と透湿性を兼ね備えた薄く、伸縮性のあるフィルム状の膜を生地にラミネート（張付け）したもの。その素材は無孔質のフィルム状の膜で、素材自体には孔が存在しない。そのために高い防水性能を発揮し、さらに高い透湿性があり、温度変化に応じて透湿性をコントロールすることが出来る。この素材をラミネート加工した特殊なこの生地は、温度変化に対応して、アンダーウエアー内が熱くなると透湿度を高めて、汗（水蒸気）や熱を放出し、寒くなると透湿度を下げて、汗（水蒸気）や熱の放出を抑えて保温する機能に優れている。この素材をラミネートした生地を使用したアンダーウエアー。
【請求項３】
上記素材を使用した本考案は、素材そのものの持つ完全防水機能により、万が一の血液の漏れを完全に防御し、なおかつアンダーウエアー内部の湿度を自動的にコントロールして、蒸れ感をなくし、常にアンダーウエアー内を快適に保つことが出来るために、生理日でも、女性たちが安心で快適、そして精神的にも安定した日常生活を送ることが出来きるアンダーウエアー。
【考案の詳細な説明】
【技術分野】
【０００１】  本考案は、女性にとって、避けて通ることの出来ない憂鬱な生理日を、安心して、しかも快適に過ごすことが出来るようにするために開発された、アンダーウエアーに関するものである。
【背景技術】
【０００２】  近年のスポーツウエアー用に開発されている生地は、吸汗速乾、透湿防水、発熱保温、抗菌消臭、温度調節など、さまざまな非常に高機能な生地がスポーツをする人たちをサポートして、さらに進化させる目的で多種多様開発されている。
【考案の概要】
【考案が解決しようとする課題】
【０００３】  しかしながら、多くの女性たちにとって不安・憂鬱の種である生理日において、何の不安も無く、安心して、しかも普段と同じように快適な日常生活を送れるような、生理日のためのアンダーウエアーはいまだに開発されてはいない。生理用パット、ショーツを着用していても、血液の漏れを防ぐことは出来ていないし、完全に防御しようとすれば、不快な蒸れを覚悟して、漏れを防止するために、個人個人が個別に特別な工夫を生理日のために考えなければならない状況にある。
【課題を解決するための手段】
【０００４】  そこで、本考案は、以上の課題を解決すべく、スポーツウエアー用に開発された多くの高機能生地の中から、特に防水性能、透湿性能に優れた生地を厳選し、その生地を、その生地本来の用途としては全く想定されていなかった分野である女性にとっての悩みの種である生理日を、安心・快適に過ごすことが出来るようにする為のアンダーウエアー用に転用できるとの確信のもと、生理日のためのアンダーウエアーの開発を試みるにいたった。【０００５】  結果的に、完全な防水機能を持ち、かつ、環境適応機能を有し、温度変化を感知してアンダーウエアー内を常に快適にする機能を持つ生地を選び出すことが出来た。この生地は、防水性と透湿性を兼ね備えた薄く、伸縮性のあるフィルム状の膜を生地にラミネート（張付け）したもの。その素材は無孔質のフィルム状の膜で素材自体には孔が存在しない。そのために高い防水性能を発揮し、さらに高い透湿性があり、温度変化に応じて透湿性をコントロールすることが出来る。この素材をラミネート加工した特殊なこの生地は、温度変化に対応して、アンダーウエアー内が熱くなると透湿度を高めて、汗（水蒸気）や熱を放出し、寒くなると透湿度を下げて、汗（水蒸気）や熱の放出を抑えて保温する機能に優れている。
【考案の効果】
【０００６】  以上のように、この生地を使用したアンダーウエアーを着用することにより、この素材そのものの持つ完全防水機能により、万が一の血液の漏れを完全に防御し、なおかつアンダーウエアー内部の湿度を自動的にコントロールして、蒸れ感をなくし、常にアンダーウエアー内を快適に保つことが出来るために、生理日でも、女性たちが安心で快適、そして精神的にも安定した日常生活を送ることが出来るようになる。
【図面の簡単な説明】
【０００７】
【図１】本考案に係るアンダーウエアーの着用例を後ろから見た概略図である
【図２】本考案に係るアンダーウエアーの一例を示す概略図である
【図３】本考案に係るアンダーウエアーの生地の構造概略図である
【符号の説明】
【０００８】  １    生理用ナプキン
２    生理用ショーツ
３    本考案生理用アンダーウエアー
４    アウタースカート
５    一般アンダーウエアー生地
６    本考案で使用する素材（フィルム状の膜）
【図１】
0003154444.tif 000003
【図２】
0003154444.tif 000004
【図３】
0003154444.tif 000005
【手続補正書】
【提出日】平成21年5月14日(2009.5.14)
【手続補正１】
【補正対象書類名】明細書
【補正対象項目名】全文
【補正方法】変更
【補正の内容】
【考案の詳細な説明】
【技術分野】
【０００１】  本考案は、女性にとって、避けて通ることの出来ない憂鬱な生理日を、安心して、しかも快適に過ごすことが出来るようにするために開発された、アンダーウエアーに関するものである。
【背景技術】
【０００２】  近年のスポーツウエアー用に開発されている生地Ａ（特殊ラミネート加工を施されていない生地の総称）や、生地Ｂ（生地Ａに特殊ラミネート加工を施されている生地）は、吸汗速乾、透湿防水、発熱保温、抗菌消臭、温度調節など、さまざまな機能を持ちスポーツをする人たちをサポートして、さらに進化させる目的で多種多様開発されている。
【考案の概要】
【考案が解決しようとする課題】
【０００３】  しかしながら、多くの女性たちにとって不安・憂鬱の種である生理日において、何の不安も無く、安心して、しかも普段と同じように快適な日常生活を送れるような、生理日のためのアンダーウエアーはいまだに開発されてはいない。生理用パット、生理用ショーツを着用していても、血液の漏れを防ぐことは出来ていないし、完全に防御しようとすれば、不快な蒸れを覚悟して、漏れを防止するために、個人個人が個別に特別な工夫を生理日のために考えなければならない状況にある。
【課題を解決するための手段】
【０００４】  そこで、本考案は、以上の課題を解決すべく、スポーツウエアー用に開発された多くの高機能な生地Ｂの中から、特に防水性能、透湿性能に優れた生地Ｂを厳選し、その生地Ｂ本来の用途としては全く想定されていなかった分野である女性にとっての悩みの種である生理日を、安心・快適に過ごすことが出来るようにする為のアンダーウエアー用に、生地Ｃ（生地Ａを応用・改良した生地）を使用した生地Ｄ（生地Ｃに特殊ラミネート加工を施した生地）を開発できるとの確信のもと、生理日のためのアンダーウエアーの研究開発を試みるにいたった。【０００５】  結果的に、本考案の目的を達成させるために、生地Ａの組成、織地、編地などに改良を加えることにより新たに開発された生地Ｃを使用し、肌に優しく、しかも完全な防水機能を持ち、かつ、環境適応機能を有し、温度変化を感知してアンダーウエアー内を常に快適にする機能を持つ生地Ｄを開発することが出来た。この生地Ｄには、防水性と透湿性を兼ね備えた薄く伸縮性のあるフィルム状の膜が生地Ｃにラミネート（張付け）されている。その素材は無孔質のフィルム状の膜で素材自体には孔が存在しない。そのために高い防水性能を発揮し、さらに高い透湿性があり、温度変化に応じて透湿性をコントロールすることが出来る。この素材をラミネート加工した特殊なこの生地Ｄは、温度変化に対応して、アンダーウエアー内が熱くなると透湿度を高めて、汗（水蒸気）や熱を放出し、寒くなると透湿度を下げて、汗（水蒸気）や熱の放出を抑えて保温する機能に優れている。
【考案の効果】
【０００６】  以上の結果、この生地Ｄを使用した本考案のアンダーウエアーを、生理用ショーツの上に着用することによりこの生地Ｄそのものの持つ完全防水機能により、万が一の血液の漏れを完全に防御し、なおかつアンダーウエアー内部の湿度を自動的にコントロールして、蒸れ感をなくし、常にアンダーウエアー内を快適に保つことが出来るために、生理日でも、女性たちが安心で快適、そして精神的にも安定した日常生活を送ることが出来るようになる。
【図面の簡単な説明】
【０００７】
【図１】本考案に係るアンダーウエアーの着用例を後ろから見た概略図である。
【図２】本考案に係るアンダーウエアーの一例を示す概略図である。
【図３】本考案に係るアンダーウエアーの生地Ｄの構造概略図である。この生地Ｄには、二層構造の生地Ｄ２と三層構造の生地Ｄ３がある
【符号の説明】
【０００８】    １    生理用パット
２    生理用ショーツ
３    本考案生理用アンダーウエアー
４    アウタースカート
５    本考案用に応用、改良された生地Ｃ
６    本考案で使用する素材（フィルム状の膜）
【手続補正２】
【補正対象書類名】実用新案登録請求の範囲
【補正対象項目名】全文
【補正方法】変更
【補正の内容】
【実用新案登録請求の範囲】
【請求項１】
スポーツウエアー用に開発された多くの高機能な生地Ｂの中から、特に防水性能、透湿性能に優れた生地Ｂを厳選し、その生地Ｂ本来の用途としては全く想定されていなかった分野である女性にとっての悩みの種である生理日を、安心・快適に過ごすことが出来るようにする為のアンダーウエアー用に生地Ｃ（生地Ａを応用・改良した生地）を使用した生地Ｄ（生地Ｃに特殊ラミネート加工を施した生地）を用いて考案された生理日のためのアンダーウエアー。
【請求項２】
本考案の目的を達成させるために、生地Ａの組成、織地、編地などに改良を加えることにより新たに開発された生地Ｃを使用し、肌に優しく、しかも完全な防水機能を持ち、かつ、環境適応機能を有し、温度変化を感知してアンダーウエアー内を常に快適にする機能を持つ生地Ｄを開発することが出来た。この生地Ｄには、防水性と透湿性を兼ね備えた薄く、伸縮性のあるフィルム状の膜が生地Ｃにラミネート（張付け）されている。その素材は無孔質のフィルム状の膜で素材自体には孔が存在しない。そのために高い防水性能を発揮し、さらに高い透湿性があり、温度変化に応じて透湿性をコントロールすることが出来る。この素材をラミネート加工した特殊なこの生地Ｄは、温度変化に対応して、アンダーウエアー内が熱くなると透湿度を高めて、汗（水蒸気）や熱を放出し、寒くなると透湿度を下げて、汗（水蒸気）や熱の放出を抑えて保温する機能に優れている。この生地Ｄを使用したアンダーウエアー。
【請求項３】
この生地Ｄを使用した本考案のアンダーウエアーを、生理用ショーツの上に着用することにより、この生地Ｄそのものの持つ完全防水機能により、万が一の血液の漏れを完全に防御し、なおかつアンダーウエアー内部の湿度を自動的にコントロールして、蒸れ感をなくし、常にアンダーウエアー内を快適に保つことが出来るために、生理日でも、女性たちが安心で快適、そして精神的にも安定した日常生活を送ることが出来るようになる。
【手続補正３】
【補正対象書類名】図面
【補正対象項目名】全図
【補正方法】変更
【補正の内容】
【図１】
0003154444.tif 000006
【図２】
0003154444.tif 000007
【図３】
0003154444.tif 000008
【手続補正書】
【提出日】平成21年7月22日(2009.7.22)
【手続補正１】
【補正対象書類名】明細書
【補正対象項目名】全文
【補正方法】変更
【補正の内容】
【考案の詳細な説明】
【技術分野】
【０００１】  本考案は女性にとって、避けて通ることの出来ない憂鬱な生理日を、安心して、しかも快適に過ごすことが出来るようにするために開発された、生理日用アンダーウエアーに関するものである。
【背景技術】
【０００２】  近年のスポーツウエアー用に開発されている生地は、吸汗速乾、透湿防水、発熱保温、抗菌消臭、温度調節など、さまざまな非常に高機能な生地がスポーツをする人たちをサポートして、さらに進化させる目的で多種多様なものが開発されている。
【考案の概要】
【考案が解決しようとする課題】
【０００３】  しかしながら、多くの女性たちにとって不安・憂鬱の種である生理日において、何の不安も無く、安心して、しかも普段と同じように快適な日常生活を送れるような、生理日のためのアンダーウエアーはいまだに開発されてはいない。生理用パット、生理用ショーツを着用していても、血液の漏れを防ぐことは出来ていないし、完全に防御しようとすれば、不快な蒸れを覚悟して、漏れを防止するために、個人個人が個別に特別な工夫を生理日のために考えなければならない状況にある。
【課題を解決するための手段】
【０００４】  そこで、本考案は、以上の課題を解決すべく、スポーツウエアー用に開発された多くの高機能生地の中から、特に防水性能、透湿性能に優れた生地を厳選し、その生地を、その生地本来の用途としては全く想定されていなかった分野である女性にとっての悩みの種である生理日を、安心・快適に過ごすことが出来る用にする為のアンダーウエアー用に転用出来るとの確信のもと、生理日のためのアンダーウエアーの研究開発を試みるに至ったものである。【０００５】そして研究の末、結果的に、本考案の目的を達成させるために、生地の組成、編地、織地などに改良を加えることにより開発された生地を使用し、肌に優しく、しかも完全な防水機能を持ち、かつ、環境適応機能を有し、温度変化を関知してアンダーウエアー内を常に快適にする機能を持つ生地を開発することが出来た。この生地には、防水性と透湿性を兼ね備えた薄く、伸縮性のあるフィルム状の膜をラミネート又は張り付けたものであり、その素材は無孔質のフィルム状の膜で素材自体には孔が存在しない。そのために高い防水性能を発揮し、さらに高い透湿性があり、温度変化に応じて透湿性をコントロールすることが出来る。この素材をラミネート加工又は張り付けた特殊なこの生地は、温度変化に対応して、アンダーウエアー内が熱くなると透湿度を高めて、汗や水蒸気や熱を放出し、寒くなると透湿度を下げて汗や水蒸気や熱の放出を抑えて保温する機能に優れている。【０００６】而して、本考案の要旨とするところは、編地・織地にウレタン系形状記憶ポリマーをラミネート加工又は張り付けた生地を使用したことを特徴とする生理日用アンダーウエアーにある。【０００７】上記構成において、ウレタン系形状記憶ポリマーをポリウレタンとしてもよい。【０００８】上記構成において、ウレタン系形状記憶ポリマーを無孔質メンブレンとしてもよい。
【考案の効果】
【０００９】本考案は、以上の結果、この生地を使用した生理日用アンダーウエアーを、生理用ショーツの上に着用することにより、この生地そのものの持つ完全防水機能により、万が一の血液の漏れを完全に防御し、なおかつ生理日用アンダーウエアー内部の湿度を自動的にコントロールして、蒸れ感をなくし、常に生理日用アンダーウエアー内を快適に保つことが出来るために、生理日でも、女性たちが安心で快適、そして精神的にも安定した日常生活を送ることが出来るようになる。
【図面の簡単な説明】
【００１０】
【図１】本考案に係る生理日用アンダーウエアーの着用例を後ろから見た概略図である。
【図２】本考案に係る生理日用アンダーウエアーの一例を示す概略図である。
【図３】本考案に係る生理日用アンダーウエアーの生地の構造概略図を示すもので、上は編地又は織地に一層ウレタン系形状記憶ポリマーをラミネート加工又は張り付けたものであり、下はこれを表裏両面から二層ラミネート加工又は張り付けたものである。
【考案を実施するための形態】
【００１１】以下、本考案を実施するための形態について、図面を参照して説明する。
【００１２】図中、１は生理用ナプキンである。２は生理用ナプキン１を収容した生理用ショーツである。３は本考案に係る生理日用アンダーウエアーである。
【００１３】本考案に係る生理日用アンダーウエアー３は、編地又は織地６にウレタン系形状記憶ポリマー５をラミネート加工又は張り付けたものであり、上はこれを一層設けたものであり、下はこれを二層設けたものである。なお、図中４はアウタースカートである。
【００１４】本考案において使用するウレタン系形状記憶ポリマー５としては、本実施形態では、ポリウレタンを使用するが、これは無孔質メンブレンとしてもよい。
【００１５】これらの材質を使用することにより、この素材そのものの持つ完全防水機能により、万が一の血液の漏れを完全に防御し、なおかつアンダーウエアー内部の湿度を自動的にコントロールして、蒸れ感をなくし、常にアンダーウエアー内を快適に保つことが出来るために、生理日でも、女性たちが安心で快適、そして精神的にも安定した日常生活を送ることが出来るようになる。
【符号の説明】
【００１６】  １  生理用ナプキン  ２  生理用ショーツ  ３  本考案の生理日用アンダーウエアー  ４  アウタースカート  ５  ウレタン系形状記憶ポリマー  ６  編地又は織地
【手続補正２】
【補正対象書類名】実用新案登録請求の範囲
【補正対象項目名】全文
【補正方法】変更
【補正の内容】
【実用新案登録請求の範囲】
【請求項１】
編地・織地にウレタン系形状記憶ポリマーをラミネート加工又は張り付けた生地を使用したことを特徴とする生理日用アンダーウエアー。
【請求項２】
ウレタン系形状記憶ポリマーがポリウレタンである請求項１記載の生理日用アンダーウエアー。
【請求項３】
ウレタン系形状記憶ポリマーが無孔質メンブレンである請求項１記載の生理日用アンダーウエアー。